(57)【特許請求の範囲】
【請求項１】
感温磁性流体のなかにアルゴンガスを一定の比率で注入し、マイクロ波又は、ミリ波、高周波を照射すると感温磁性流体は電磁波を吸収し発熱し、アルゴンガスは電離し、イオンと電子に分極し、感温磁性流体よりも早く高温に達し、感温磁性流体は高温のアルゴンガスと混合しプラズマシーズが生じ、感温磁性流体のエネルギー効率が上がり、感温磁性流体のなかで、温度あたりの磁束密度の勾配をとるために、感温磁性流体に部分的にマイクロ波又は、ミリ波、高周波で加熱し、感温磁性流体を外部からの水によって冷却し、感温磁性流体の、外部から永久磁石、超伝導電磁石によって磁場を加え、感温磁性流体に加熱と冷却を繰り返すと磁場に向かって流体の推進エネルギーが生じ、感温磁性流体の中で部分的にプラズマシーズによる電場の勾配並びに、温度による磁場の格差、温度格差及び密度格差が生じることから、高エネルギーの電磁熱流体を作り、感温磁性流体を作動させるため外部に設置した永久磁石又は、超伝導電磁石によって強磁場を印加すると、感温磁性流体は外部の強磁場と反応し、磁場の格差、電場の格差並びに密度の格差、電離したアルゴンガスと感温磁性流体のドリフト運動によって、電離したアルゴンガスの分極した電子及びイオンと感温磁性流体の磁場との相互作用によって導電性の大きい、電気粘性流体の性質をもった、電磁熱流体となることによってローレンツ起電力が別に生じ感温磁性流体のエネルギーが増幅する方法。
【請求項２】
請求項１の方法で増幅された感温磁性流体のエネルギーにあって、感温磁性流体の力学的運動エネルギーは躯体のドラムに複数のフィンを付け、ドラムを回転させ発電エネルギーに変換し、ローレンツ起電力によって生じた電流は感温磁性流体の中に、別に貴金属の電極を設置し発電エネルギーに変換する方法。
【請求項３】
感温磁性流体の構造体の内部に、電気伝導度の高い貴金属の白金又は、金、銀、白金ロジウム並びにその合金の金属片又は金属棒又は微粒子を挿入し、外部より磁場を印加した状態において、マイクロ波又は、ミリ波、高周波を照射すると、貴金属の白金又は、金、銀、白金ロジウム並びにその合金に電磁波が吸収され、伝導電子と電磁波の相互作用によってプラズモン振動が生じ、金属固体中の電子密度波と電磁波が相互作用を起こし、共鳴状態を形成し、共鳴することから電場のエネルギーが増大し、感温磁性流体の内部で部分的に温度格差が生じると感温磁性流体のなかで磁束密度の勾配が生じ、感温磁性流体の内部の温度変化を作るために、部分的にマイクロ波又はミリ波、高周波で加熱し、感温磁性流体の外部から水によって冷却し、感温磁性流体の外部から永久磁石又は超伝導電磁石で磁場を加えると、流体の各位置に温度あたりの磁束密度の変化が生じ、磁場に向かって感温磁性流体の推進エネルギーが生じ、感温磁性流体の磁束密度の勾配とプラズモン振動の電場のエネルギーが反応すると感温磁性流体のエネルギーが振動し、感温磁性流体のなかに貴金属の微粒子がまざっている状態で、マイクロ波又はミリ波、高周波を照射すると貴金属固体内のエネルギー振動が感温磁性流体に伝搬し、マイクロ波又は、ミリ波、高周波によって磁場が強磁性共鳴することによって、感温磁性流体の持つ磁束密度が短時間で変化し、感温磁性流体の外部から、強磁場の永久磁石、超伝導磁石を設置し、磁場を加えることによって、感温磁性流体のエネルギーを増幅させ、高エネルギーに変換し、プラズモン振動による電場の増幅によって感温磁性流体の磁場が反応し、プラズモン振動によって生じた電場のエネルギーと感温磁性流体の外部から永久磁石、超伝導電磁石によって磁場が加えられていることからローレンツ起電力が生じ、貴金属の微粒子と感温磁性流体の混在する流体において、温度格差が生じたとき熱電効果によって電流が流れ、起電力が生じ、感温磁性流体のエネルギーが増幅する方法。
【請求項４】
請求項３の方法で増幅された感温磁性流体のエネルギーにあって、感温磁性流体の力学的運動エネルギーは躯体のドラムに複数のフィンを付け、ドラムを回転させ発電エネルギーに変換し、ローレンツ起電力によって生じた電流は感温磁性流体の中に、別に貴金属の電極を設置し発電エネルギーに変換する方法。
【請求項５】
感温磁性流体を利用し発電するシステムにおいて請求項１，請求項２のエネルギー変換技術を、併用し利用するにあって、感温磁性流体の外部から、永久磁石又は超伝導磁石によって磁場を加え、感温磁性流体にアルゴンガスを注入し、貴金属の白金又は、金、銀、白金ロジウム並びにその合金の金属片を流体構造を維持する場所に固定、又は、白金、金、銀、白金ロジウムの微粒子を磁性流体に混入し、マイクロ波又は、ミリ波、高周波を感温磁性流体に直接照射するとアルゴンガスが電離し電子、イオンに分極し、プラズマシーズが発生し、感温磁性流体のエネルギーが増幅し、感温磁性流体内に電場が生じ、感温磁性流体の中に挿入された貴金属の白金又は、金、銀、白金ロジウムにマイクロ波又は、ミリ波、高周波を照射すると、アルゴンガスとは異なった、電磁波による貴金属固体中のプラズモン振動が起こり、貴金属の白金又は金、銀白金ロジウムなどの近傍の電場が増幅し、感温磁性流体中の電場も増幅し、マイクロ波又は、ミリ波、高周波を部分的に感温磁性流体に照射したとき、感温磁性流体がそれらの電磁波を吸収し、強磁性共鳴を起こし、磁場の振動が貴金属によるプラズモン振動によって生じた電場と相互作用し、感温磁性流体の内部で部分的に温度あたりの磁束密度の勾配をとるために、感温磁性流体を部分的にマイクロ波又はミリ波、高周波で加熱し、外部からの水等によって冷却し、感温磁性流体の外部から永久磁石、超伝導電磁石で磁場を加えると、感温磁性流体内部に温度格差が広がり、磁束密度の格差が生じ、流体の推進エネルギーとなり、この推進エネルギーとアルゴンの電離によるプラズマシーズの電場、貴金属によるプラズモン振動によって生じる電場の増幅、マイクロ波又はミリ波、高周波による感温磁性流体の強磁性共鳴による磁場が反応し、感温磁性流体の電場と磁場によるドリフト運動によって流体のエネルギーを増幅し、感温磁性流体の増幅された電場、磁場に感温磁性流体の外部から永久磁石又は、超伝導電磁石によって磁場を加えるとローレンツ起電力が生じ、電場の増幅と磁場の増幅による振動によって磁場と電場が相互作用し磁性流体の電磁熱流体としてのエネルギーが増幅される方法。
【請求項６】
請求項５の方法を利用して増幅された感温磁性流体のエネルギーにあって、感温磁性流体の力学的運動エネルギーは躯体のドラムに複数のフィンを付け、ドラムを回転させ発電エネルギーに変換し、ローレンツ起電力によって生じた電流は感温磁性流体の中に、別に貴金属の電極を設置し発電エネルギーに変換する方法。
【発明の詳細な説明】
【技術分野】［発明に属する技術分野］
本発明は感温磁性流体と電磁熱流体のエネルギー変換とそれを利用した発電システムに関する。【０００１】
【背景技術】２種類以上の温度あたりの磁束密度の勾配の異なる感温磁性流体を混層流体とし、外部からマイクロ波又は、ミリ波、高周波を照射して加熱し、水を混入させることによって冷却し、外部から磁場を印加することによって発電エネルギーに変換する方法はすでに出願者によって特願２００３−４３６２４９によって提案している。感温磁性流体に貴金属片又は貴金属棒、又は微粒子を挿入させ、希ガスを注入しマイクロ波、ミリ波、高周波で加熱することによるプラズマ振動とドリフト運動を利用して感温磁性流体のエネルギーを増幅させるシステムは存在していない。【０００２】［発明が解決しようとする課題］
本発明は感温磁性流体の中に貴金属の白金又は、金、銀、白金ロジウムとその合金片又は貴金属棒又は貴金属、並びにその合金の微粒子を挿入し、アルゴンガスを注入し、マイクロ波又は、ミリ波、高周波で加熱し、外部から永久磁石又は、超伝導電磁石によって磁場を印加し、プラズマの振動現象によって感温磁性流体のエネルギーを増幅し、さらに導電性流体のローレンツ起電力により、電磁流体エネルギーを増幅させるシステムである。【０００３】［発明を解決するための手段］
本発明は、温度あたりの磁束密度の勾配が異なる２種類以上の混層状態の感温磁性流体において、感温磁性流体を構成する容積の０．０１〜５％のアルゴンガスを注入し、外部から磁場を印加し、マイクロ波又は、ミリ波、高周波をマグネトロンから導波管によって、誘導し照射する。アルゴンガスにマイクロ波又は、ミリ波、高周波を照射し、感温磁性流体に混合したアルゴンガスの外部から磁場を加えることによって、電子とイオンに分極し、電離する。電離したアルゴンガスがプラズマシーズとなって、混層状態の感温磁性流体と混合して、感温磁性流体に電場が形成され、導電性電磁粘性流体の状態となる。感温磁性流体は形成された電場によって導電性流体となり、その電場によって生じる力（ｆ）はアルゴンガスの電離によって生じた分極（Ｐ）とアルゴンガスのプラズマシーズによって生じた導電性電磁粘性流体の電場（Ｅ）の勾配の積に比例し、その関係は次の（１）式で表される。
ｆ＝（Ｐ▽）Ｅ                            （１）
ｆ；力  Ｐ；アルゴンの分極、Ｅ；電場
感温磁性流体はマイクロ波又はミリ波、高周波で加熱し、外部から水によって冷却すると感温磁性流体の混層のなかで温度格差が生じる。その結果、混層のなかで、温度あたりの磁束密度の勾配が生じる。感温磁性流体の外部から永久磁石、超伝導電磁石で磁場を加えると、感温磁性流体の磁場に向かって、流体の推進エネルギーとなる。感温磁性流体の電場はマイクロ波、または高周波、ミリ波の電場によって形成されており、アルゴンガスをいれることによってプラズマシーズが生じ、電場が形成され（１）式の力ｆが生じる。このときの磁束密度の勾配と電離したアルゴンガスのプラズマシーズの電場が相互作用し、外部からの磁場によって、磁場と電場の相互作用からドリフト運動が生じ、導電性感温磁性流体の混層状態の非線形力からエネルギーが増幅する。【０００４】感温磁性流体の力学的運動エネルギーを利用し、発電エネルギーに転換するためには感温磁性流体を、固定した一定の躯体内部で連続した回転運動させ、その回転運動のエネルギーを発電機の回転軸に直接伝達する構造を作る。
感温磁性流体のエネルギーが連続し回転運動を形成するには、感温磁性流体に加熱と冷却を繰り返し、感温磁性体の内部で磁性の変化を常に繰り返し発生させる構造を作る。
感温磁性流体は温度が高くなると磁性が低下する性質を持ち、低温になると磁性が高くなり、復元する。感温磁性流体の加熱は瞬時に温度上昇する事が望ましく、加熱にはマイクロ波又は、ミリ波、高周波等を利用し、冷却は躯体全体を水槽の中に入れ、水槽の冷却水によって冷却する。加熱は躯体の外部からマグネトロンによって発信されたマイクロ波又は、ミリ波、高周波に導波管よって誘導し、躯体の一部に石英ガラスによって窓を設置し、その石英ガラスの窓からマイクロ波を躯体内部に照射し、感温磁性流体を部分的に加熱出来る構造を作る。
感温磁性流体を冷却するため、感温磁性流体を入れる躯体全体を水槽に入れ、他にラジエターを設置し、感温磁性流体の一部を取り出し、ラジエターの内部から、躯体を入れている水槽の中を循環させ冷却し躯体に戻す。感温磁性流体の加熱と冷却の安定した構造を作る。永久磁石と超伝導磁石は躯体の外周面にそって感温磁性流体が回転する外部に設置し、感温磁性流体に磁場を与える。躯体内部には回転軸に固定されたドラム状の浮体を設置し、躯体内部で回転できる構造を作る。浮体の内部には外周面の反対の磁極を持つ永久磁石を同一方向に向かって設置する。ドラムの回転する外周と躯体の内面は一定の間隔をもって設置し、その躯体の内周面とドラムの外周面の間に感温磁性流体が流体運動を起こすスペースを作る。感温磁性流体はこの空間でマイクロ波又はミリ波又は高周波の照射によって加熱し、躯体の外部から水等で冷却する構造とする。
アルゴンガスは石英ガラスの窓から近い場所で、永久磁石又は超伝導磁石の中間に位置した場所から躯体の外周面に沿って、水槽の外部のボンベから誘導し、ガスバブルを設け注入する。マイクロ波又は、ミリ波、高周波によってプラズマシーズが発生しやすい場所を選定する。
感温磁性流体のエネルギーが回転ドラムに最大のエネルギー効率のある伝達条件にするためにはドラムの回転する頂点の場所、外周面にエネルギーが集まり、回転する構造を作る。ドラムの回転構造は感温磁性流体にエネルギーを最大限にドラムに伝達させるためにドラムの回転する頂点にフィンを複数枚、連続し取り付け、フィンに感温磁性流体が加圧し、ドラムを回転する位置に設置する。
感温磁性流体の素材は、異なったキュリー温度の磁性を持つ感温磁性素材と水によって構成する。
マイクロ波又は、ミリ波、高周波よってアルゴンガスを照射すると電子と分子に電離し、プラズマシーズを形成する。感温磁性流体と全体の温度があがり磁場の格差がなくなると、エネルギーは低下する。エネルギーの低下を防ぐために、躯体の外部に放熱板を設置し、躯体全体を水槽に入れ冷却する。躯体にラジエーターを設け外部水槽の中を感温磁性流体の一部を循環させ、躯体の回転軸の近傍点に戻し感温磁性流体の温度格差をとる。感温磁性流体に混層されたアルゴンガスにマイクロ波又は、ミリ波、高周波を照射するとアルゴンガスの電子と分子の電離によって生じたプラズマシーズによって、プラズマシーズの電場と感温磁性流体の磁場とが相互作用を起こし、感温磁性流体は永久磁石又は超伝導磁石に沿って流体構造を作る。感温磁性流体は導電性を持ち、導電性電磁流体となる。
躯体の内部でこの感温磁性流体がドラムと躯体の内部で温度による膨張、磁場との相互作用、導電性電磁流体とプラズマシーズによって流体のエネルギーが増加する。このエネルギーがドラムの回転エネルギーになる。ドラムの回転軸を発電機の固定軸に直結し発電エネルギーに転換する。
導電性電磁流体の性質を持つ感温磁性流体に、感温磁性流体の外部から永久磁石又は超伝導電磁石で磁場を加えると、ローレンツ起電力が生じる。
永久磁石、超伝導磁石から一定の間隔を置いて、電極を設置し、ローレンツ起電力から直接電力をとりだす。【０００５】混層磁性流体内に貴金属の金又は、銀、白金、白金ロジウムなどの貴金属棒又は貴金属片又は貴金属の微粒子を挿入しマイクロ波又は、ミリ波、高周波を照射すると、マイクロ波又は、ミリ波、高周波の電磁波と貴金属の電子との相互作用によってプラズモン振動が生じ、貴金属中の電子密度波とマイクロ波又は、ミリ波、高周波の電磁波が相互作用を起こし共鳴状態を形成する。共鳴状態から近傍の電場が増大し、電場によるエネルギーが増大する。感温磁性流体の中に貴金属の金又は銀、白金や、白金ロジウムやその合金が存在しているなかでマイクロ波又はミリ波、高周波を照射すると、貴金属はプラズモン振動を起こし、感温磁性流体は強磁性共鳴を起こし、磁性流体の磁場のエネルギーが振動し、増幅する。
感温磁性流体は、磁束密度の勾配が大きいほどエネルギーは大きくなる。感温磁性流体内部の温度格差が大きいほど、磁束密度の勾配が大きく、加熱と冷却を繰り返すことによって温度格差が得られる。感温磁性流体の早い温度の上昇にはマイクロ波又はミリ波、高周波の照射によって得られ、冷却は水などによって外部ら冷却する。感温磁性流体の外部から永久磁石、超伝導電磁石で磁場を加えると磁場に向かって、感温磁性流体は流体運動を起こす。貴金属の金又は銀、白金、白金ロジウム又はその合金が感温磁性流体に混在していたり、接していると磁束密度の変化と、貴金属のプラズモン振動、感温磁性流体の強磁性共鳴は反応を起こし、流体のエネルギーを増幅させる。
実験においてＭｎ−Ｚｎフェライトを使用した感温磁性流体の場合、磁束密度は５０ｇａｕｓｓ／ｓｅｃで振動し感温磁性流体のエネルギーの増幅につながった。
このエネルギーの増幅は感温磁性流体の磁場のエネルギーの式であらわされる。
0004904528.tif 000002
Ｐ；エネルギー  Ｔ；温度  Ｍ；磁化  Ｈ；磁性流体の磁場  ｖＨ；磁性流体の速度  ｘ；磁性流体の長さ  ｔ；時間
（２）の方程式によって感温磁性流体の磁場のエネルギーＰは温度Ｔ、温度あたりの磁化、∂Ｍ／∂Ｔ、磁性流体の磁場の実質微分ＤＨ／Ｄｔの３つの項の積となる。磁性流体の磁場の実質微分の項ＤＨ／Ｄｔは（３）の式で書き出すことができ、その項は時間あたりの磁性流体の磁場の変化の項∂Ｈ／∂ｔと磁性流体の速度と一定空間あたりの磁性流体の磁場の勾配との積の項ｖＨ∂Ｈ／∂ｘを加えたものである。その結果（２）式による磁場のエネルギーＰは（４）式の温度、温度あたりの磁化、時間あたりの磁性流体の磁場の変化の積の項Ｔ（∂Ｍ／∂Ｔ）（∂Ｈ／∂ｔ）  と温度、温度あたりの磁化、磁性流体の速度と一定空間あたりの磁場の変化の積の項Ｔ（∂Ｍ／∂Ｔ）ｖＨ∂Ｈ／∂ｘを加えたたものとなる。  Ｔ（∂Ｍ／∂Ｔ）（∂Ｈ／∂ｔ）の項の結果磁性流体のキュリー温度以下までは感温磁性流体は温度が高いほど流体のエネルギーは大きく、温度あたりの磁化の変化が大きい程エネルギーは大きいことを示す。マイクロ波で加熱し、水で冷却する。また時間あたりの磁束密度の変化が大きいほどエネルギーは大きいことが示される。Ｍｎ−Ｚｎフェライトでは貴金属を入れマイクロ波で加熱した場合∂Ｈ／∂ｔ＝５０ｇａｕｓｓ／ｓｅｃで振動するので、磁性流体がプラズモン振動の電場の増大と振動と相互作用を起こした時エネルギーは増大することを示す。
Ｔ（∂Ｍ／∂Ｔ）ｖＨ∂Ｈ／∂ｘの項の結果、磁性流体の温度がキュリー温度以下において温度が高いほどエネルギーは大きく、温度あたりの磁化の変化が大きいほどエネルギーは大きいことを示す。また磁性流体の速度と、一定空間あたりの磁場の変化が大きいほどエネルギーが大きく、感温磁性流体の外部から永久磁石又は超伝導磁石によって与える磁場に比例しエネルギーは大きくなる。
また貴金属のプラズモン振動で増幅された電場と感温磁性流体の磁場の増大と振動の相互作用によって感温磁性流体の導電性電磁熱流体としての流体エネルギーが増幅される。この感温磁性流体の外部から永久磁石、超伝導電磁石によって磁場を加えると、ローレンツ起電力が生じる。貴金属の微粒子と感温磁性流体が混在する状態で温度格差がマイクロ波の加熱によって生じると熱電効果によって起電力が生じる。【０００６】感温磁性流体に貴金属である金又は、白金、白金ロジウムの金属片、金属棒、又は微粒子を入れマイクロ波又はミリ波、高周波で照射し、エネルギーを増大させ、その感温磁性流体の力学的エネルギーを発電エネルギーに取り出すためには、感温磁性流体の内部に貴金属の微粒子を分散する方法と別に感温磁性流体の流れに沿って、マイクロ波又はミリ波、高周波を照射する場所の近傍に一定の間隔で貴金属の端子を設置する。プラズモン振動は磁場に影響することから、マイクロ波又はミリ波、高周波が照射される場所と感温磁性流体に対して外部から永久磁石又は超伝導磁石を設置するほぼ中間の位置に貴金属端子を設置すると効果的である。
感温磁性流体の温度格差によって生じる磁場のエネルギーとして加熱と冷却によって導かれ、段落［０００４］と同様の方法の中で、アルゴンガスの注入をとりのぞいた発電の方法は行う。貴金属、または貴金属の微粒子のプラズモン振動によって生じる電場は磁場のエネルギーを増幅させる。マイクロ波又はミリ波、高周波を貴金属片または貴金属の微粒子に照射したとき、プラズモン振動によって電場が増幅され、導電性電磁流体となる。導電性電磁流体に永久磁石、超伝導電磁石から磁場を加えると、ローレンツ起電力によって電力が生じる。また貴金属の微粒子が感温磁性流体の混在している状態において、温度格差が生じ、熱電効果によって起電力が生じ、ローレンツ起電力と熱電効果によって生じた起電力を貴金属の端子から直接電力を取り出し発電エネルギーとする。【０００７】感温磁性流体内にアルゴンを感温磁性流体を構成する容積の０．０１％〜５％注入し、同時に貴金属の金又は、銀、白金、ロジウムなどの貴金属片と貴金属棒、又は微粒子を感温磁性流体内に挿入し、感温磁性流体の外部から永久磁石、超伝導磁石で磁場を加え、マイクロ波又は、ミリ波、高周波によって加熱するとアルゴンガスの電離によるプラズマシーズによる混層状態の導電性電磁流体の非線形力としてのエネルギーの増幅並びに金又は、銀、白金、白金ロジウムなどの貴金属によるプラズモン振動による電場の増幅と感温磁性流体へのプラズモン振動による電場のエネルギーの伝搬、マイクロ波と磁性流体が強磁性共鳴を起こした時の磁場の振動、電場の増幅と磁場の効果が相互作用を起こし、感温磁性流体のエネルギーを増幅させる。
その時のエネルギーの方程式は次のように表すことが出来る。
0004904528.tif 000003
Ｐ；エネルギー  Ｉ；磁性流体の電流  Ｌ；磁性流体の流れる距離  μ；透磁率  χ
0004904528.tif 000004
気感受率  Ｅ；電場
方程式（５）式の第一項によって磁性流体の電場と磁場の相互作用におけるエネルギーはその磁性流体の容積内の電流の二乗に比例して大きくなり、磁性流体の流れる距離の二乗に反比例する。また透磁率、磁化率が大きいほどエネルギーはおおきい。方程式（５）の第二項によって磁性流体のエネルギーは時間あたりの磁束密度の変化の二乗に比例し、磁性流体の流れる断面積の二乗に比例し、磁性流体の流れる距離の二乗に反比例する。また透磁率、磁化率、誘電率が大きいほどエネルギーは大きい。方程式（５）の第三項によって磁性流体のエネルギーは時間あたりの電場の変化の二乗に比例する。また磁性流体の流れる断面積の二乗に比例し、磁性流体の流れる距離の二乗に反比例する。また透磁率、磁化率、誘電率、電気感受率が大きいほどエネルギーは大きい。感温磁性流体内に感温磁性流体を構成する容積の０．０１〜５％アルゴンガスを注入し、外部から磁場を加え、マイクロ波又は、ミリ波、高周波で加熱するとアルゴンガスは、電子とイオンに分極するこの時の電場によるエネルギーの増幅は、時間あたりの電場の変化の二乗に比例し、エネルギーは増幅する。この結果、磁性流体はアルゴンガスのプラズマシーズによって大きな電場を形成し、導電性、電気粘性流体の性質をもつことになる。この磁性流体と外部から印加された強磁場との相互作用によって、この場合の電磁熱流体の電磁熱流体のドリフト運動の方程式は次のようになる。
ｆ＝ρＥ＋ｊ×Ｈ＋（Ｐ▽）Ｅ＋（Ｍ▽）Ｈ                          （６）
ｆ；ドリフト運動の力  ρ；電荷密度  Ｅ；電場  ｊ；電流  Ｐ；分極  Ｍ；磁化  Ｈ；磁場  ｊ×Ｈ  はアルゴンを注入し外部から磁場を加え、電子とイオンに電離することによって、電場を形成することによる導電性、電気粘性流体となることによって生じるローレンツ起電力による項である。Ｐはイオンと電子による分極を意味し、Ｅは電場であり、（Ｐ▽）Ｅはアルゴンガスのプラズマシーズによって電場を形成し、導電性の磁性流体となることによる電気粘性流体の項であり、Ｍは感温磁性流体の磁化であり、Ｈは外部からの磁場である。（Ｍ▽）Ｈは感温磁性流体の磁場によって作用する力の項である。金又は、銀、白金、白金ロジウムなどの貴金属によるプラズモン振動は電場Ｅを増大させ、マイクロ波又はミリ波、高周波を感温磁性流体に照射させることによる強磁性共鳴は磁場Ｈを増大させる。その結果アルゴンによるプラズマシーズによる分極Ｐが大きいほどエネルギーは大きく、その時のアルゴンによるプラズマシーズと金又は、銀、白金、白金ロジウムなどの貴金属のプラズモン振動による電場Ｅが大きいほどエネルギーは大きくなる。また感温磁性流体の外部から加えられる磁場Ｈ、感温磁性流体の磁化Ｍが大きいほどエネルギーは大きくなる。段落［０００３］の式（１）段落［０００５］の式（２）（３）（４）段落［０００７］の式（６）式が示すように、混層状態の感温磁性流体に、感温磁性流体を構成する容積に対して０．０１％〜５％のアルゴンガスを入れ、マイクロ波又は、ミリ波、高周波で加熱することによってアルゴンガスを電離させ、大きな電場を形成することによるエネルギーと、貴金属の金属棒、金属片、微粒子にマイクロ波、又はミリ波、高周波で照射することによるプラズモン振動によって、電場が増大することによるエネルギー。従来の磁性流体のマイクロ波又は、ミリ波、高周波による加熱によって温度あたりの磁束密度の勾配ができることによる磁場による流体のエネルギー。マイクロ波又はミリ波、高周波照射によって強磁性共鳴から得られる磁場の増幅すべての感温磁性流体のエネルギーが相互作用したときの電磁熱流体のエネルギーの方程式は次のようにあらわされる。
0004904528.tif 000005
Ｐ；電磁流体のエネルギー  Ｊ；磁性流体中の電流  Ｈ；磁性流体の磁場  Ｌ；磁性流体の流れる距離  α；アルゴンの原子分極率、Ｅ；電界  Ｍ；磁性流体の磁化  Ｔ；温度  ｔ；時間
この方程式によって方程式（７）式の第一項の積分式は、ローレンツ起電力Ｊ×Ｈの項でローレンツ起電力の長さＬの磁性流体における全体の起電力である。ローレンツ起電力は磁性流体のアルゴンのプラズマシーズによって流れる電流と、貴金属の金又は、銀、白金、白金ロジウムなどのプラズモン振動によって流れる電流と磁性流体の磁場Ｈが大きいほど起電力は大きくなる。方程式（７）式の第二項は、段落［０００３］の式（１）からエネルギーを導くため磁性流体の電場による運動の力を積分したもので、アルゴンによるプラズマシーズと貴金属の金又は、銀、白金、白金ロジウムにマイクロ波又は、ミリ波、高周波で加熱しプラズモン振動が起こることによる電場の二乗とアルゴンの分極率の積がエネルギーとなる。また方程式（７）式の最後の項は段落［０００５］の式（２）、（４）によって、磁性流体の温度、マイクロ波又は高周波、ミリ波で加熱し水で冷却することによって生じる温度あたりの磁化の変化とマイクロ波又は、ミリ波、高周波によって貴金属の金又は、銀、白金、白金ロジウムなどを照射することからプラズモン振動が起こり、磁性流体の磁場と相互作用することによって生じる時間あたりの磁場の変化、外部から永久磁石、超伝導電磁石によって磁場を加えることによる感温磁性流体の磁場、また感温磁性流体の空間さあたりの磁場の変化を意味し、感温磁性流体の素材がキュリー温度以下の温度において温度に比例して、エネルギーは大きくなる。
貴金属の微粒子が感温磁性流体に混在している状態で温度格差が流体に生じると熱電効果によって起電力が生じる。【０００８】感温磁性流体にアルゴンガス並びに貴金属を入れ、マイクロ波又は、ミリ波、高周波によって感温磁性流体を加熱し、水等によって冷却する。感温磁性流体の外部から永久磁石又は超伝導電磁石によって磁場を加え、発電エネルギーに転換するための方法としては、段落［０００４］の加熱と冷却の構造に貴金属の金、白金、銀、白金ロジウムなどの金属片又はその微粒子を挿入する。
金属片を設置する場所は、段落［０００４］の構造の永久磁石、又は超伝導電磁石の設置場所とマイクロ波を照射する場所の近傍に設置し、アルゴンを注入するバブルからは一定の間隔を置く、貴金属の微粒子は感温磁性流体のなかに撹拌し入れる。貴金属片は貴金属端子として複数設置し、端子からローレンツ起電力を取り出す。
貴金属の端子の設置場所はマイクロ波又は、ミリ波、高周波の照射と永久磁石、超伝導電磁石の磁場に影響される位置に設ける。【０００９】［発明実施の形態］
感温磁性流体の力学的運動エネルギーを利用し、発電エネルギーに転換するためには感温磁性流体を、固定した一定の躯体内部で連続した回転運動をさせ、その回転運動のエネルギーを発電機の回転軸に直接伝達する構造を作る。
躯体の内部に回転軸で固定した浮体を入れ、躯体内部で回転出来る構造を作る。
感温磁性流体のエネルギーが連続し、回転運動を形成するには、感温磁性流体に加熱と冷却を繰り返し、磁性の変化が常に繰り返し発生させる構造を作る。
加熱は、躯体の外部からマグネトロンによって発信されたマイクロ波又は、ミリ波、高周波を導波管よって誘導し、躯体の一部に石英ガラスによって作られた窓を設置し、その石英ガラスの窓からマイクロ波を躯体内部に照射し、加熱出来る構造を作る。
冷却は、躯体全体を水槽の中に入れ、水槽の冷却水によって冷却する。感温磁性流体の冷却効果を高めるために、躯体にラジエターを設け、躯体を冷却する水槽内に配管を循環させ躯体の側面の中央部分に戻す構造を作る。感温磁性流体の一部を取り出し、ラジエターの内部を循環させ、躯体の内部に戻す。浮体の側面に外周に向かってフィンを設け、側面から外周面に向かって冷却された感温磁性流体が循環出来る構造を作り、安定した加熱と冷却が繰り返し維持出来る構造を作る。
躯体の一部に内部の熱を放出するため放熱板を設置し、水槽内に放熱する。水槽は安定温度を維持するため外部から冷却水の供給が得られる構造にする。
感温磁性流体に磁場を加えるために永久磁石又は超伝導磁石は躯体の外周面にそって感温磁性流体が回転する躯体の外部に設置する。躯体内部には回転軸で固定されたドラム状の浮体が感温磁性流体の加圧によって躯体内部で回転できる構造を作る。浮体の内部にも永久磁石を取り付け躯体の外部に設置されている、磁場と反応する構造を作る。
ドラムの回転する外周と躯体の内面は一定の間隔を持ち設置し、その躯体の内周面とドラムの外周面の間に感温磁性流体が流体運動を起こすスペースを作る。感温磁性流体はこの空間でマイクロ波又はミリ波又は高周波の照射によって加熱し、躯体の外部から水等で冷却する構造とする。
混層状態の感温磁性流体のエネルギーがドラムに最大のエネルギー効率のある伝達構造にするためにはドラムの頂点の場所、外周面にエネルギーが集まり、回転する構造を作る。ドラムの構造は感温磁性流体にエネルギーを最大限にドラムに伝達させるためにドラムの回転する頂点にフィンを複数枚、連続し設け、フィンに感温磁性流体が加圧し、ドラムが回転する位置に設置する。ドラムの側面にもフィンを取り付け、ラジエーターから循環した温度の低下した感温磁性流体をドラムの外周面に送り込み、ドラムの回転する頂点に向かって送り込む構造を作る。感温磁性流体の温度格差を作り、安定した感温磁性流体を作る。【００１０】感温磁性流体の材料Ｆｅ３Ｏ４とニッケル亜鉛フェライト、マンガン亜鉛フェライト又はバリウムフェライト、ストロンチウムフェライトなどの異なったキュリー温度を持つ複数の磁性流体を１：１の割合で混合し、混層状態の磁性流体としマイクロ波で加熱すると非線形力によって感温磁性流体のエネルギーは増幅する。【００１１】段落［００１０］の方法で１：１で混合され、混層状態にある感温磁性流体に１：１：１の割合で水を入れ、マイクロ波で加熱すると非線形力だけではなく、水の体積膨張率から感温磁性流体のエネルギーは増幅する。感温磁性流体に一定量の比率で水を混合するとエネルギー効果が増幅する。【００１２】段落［００１１］の方法で水と混合された混層状態の感温磁性流体に感温磁性流体の構造の容積の０．０１〜５％のアルゴンガスを加え、外部から永久磁石または超伝導電磁石で磁場を加えマイクロ波で加熱するとアルゴンガスは電離し、プラズマシーズを形成し、感温磁性流体のエネルギーは増幅する。【００１３】段落［００１１］の方法で水と混合された混層状態の感温磁性流体に金、白金、白金ロジウム、銀などの貴金属片または貴金属棒、貴金属の微粒子を挿入しマイクロ波で加熱し、外部から、永久磁石、超伝導電磁石で磁場を加えると、貴金属はプラズモン振動を起こし感温磁性流体のエネルギーは増幅する。【００１４】段落［００１１］の方法で水と混合された感温磁性流体に段落［００１２］の方法でアルゴンガスを加え、同時に段落［００１３］の方法で貴金属を注入すると、アルゴンガスのプラズマシーズの電場とプラズモン振動による電場の増幅、感温磁性流体の磁場が反応し、感温磁性流体のエネルギーは増幅する。【００１５】マグネトロンから誘導された縦、横１０．４ｃｍのマイクロ波の導波管に横側から直径１．２ｃｍの穴を開け、石英ガラスによって作られた、螺旋状の外形が８ｃｍ管の長径１ｃｍ、導波管の中を３回転半しているガラス管を入れ、導波管中を横切り外部に出るように設置した。石英管の通っている導波管の出口付近、導波管の上下に０．３Ｔの永久磁石を設置し、その中に混層状態の感温磁性流体のＦｅ３Ｏ４とマンガン亜鉛フェライト、の感温磁性流体を１：１の割合で入れ、マイクロ波を照射すると温度は約４０秒間で上昇し、流体の推進エネルギーが観察され、その流速は秒速２．５ｍ／ｓであった。【００１６】段落［００１５］の方法で設置された装置内の混層状態の感温磁性流体内に１：１：１の割合で水を入れた、マイクロ波を照射すると約４０秒間で温度は上昇し水の体積膨張のため流体の推進エネルギーは流速計によると段落［００１５］の方法より約２〜３倍増大し、その流速は秒速７ｍ／ｓであった。【００１７】段落［００１６］の装置内の感温磁性流体にアルゴンガスを注入し、マイクロ波を照射すると数秒後にアルゴンガスが電離しプラズマシーズを形成し、感温磁性流体の温度は１０秒間ほどで上昇し、感温磁性流体の推進エネルギーが増大した。流速計によると段落［００１６］の方法より約４〜５倍増大することが観察されその流速は秒速約３５ｍ／ｓであった。【００１８】段落［００１６］の装置内の感温磁性流体に１０ミクロンの金、白金、銀、白金ロジウムなどの微粒子を感温磁性流体の比重の０．１％注入し、貴金属の端子を感温磁性流体に入れ段落［００１７］の方法で永久磁石を設置しマイクロ波を照射すると約４０秒後に貴金属はプラズモン振動を起こし、４秒間で１００℃の格差で磁性流体の温度は振動し、感温磁性流体の流体エネルギーは増幅する。流速計によると段落［００１６］の方法より４〜５倍増大することが観察されその流速は秒速３５ｍ／ｓであった。【００１９】段落［００１６］の装置に段落［００１７］の方法でアルゴンガスを混層状態の感温磁性流体注入し同時に段落［００１８］の方法で金、白金、銀、白金、白金ロジウムなどの貴金属を混層状態の感温磁性流体に入れた。アルゴンガスのプラズマシーズによる電場と貴金属のプラズモン振動による電場の増幅、感温磁性流体の磁場が相互作用し、アルゴンガスの電離によって感温磁性流体の温度は１０秒間で上昇し、貴金属のプラズモン振動によって４秒間で１００℃の格差で磁性流体の温度は振動する。感温磁性流体の推進エネルギーは増大し、流速計によると段落［００１６］の方法より約９〜１０倍増大することが観察され、その流速は秒速７０ｍ／ｓであった。